【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
目視検査装置であって、
二次元画像センサと、この二次元画像センサに目標基板の像を結像させる関連した光学系と、
この目視検査装置が前記画像センサに結像させた画像表現が表示されるように構成されているディスプレイと、
前部、上部、後部、および一対の側部を有する携帯型ハンドセット部であって、、前記ディスプレイが前記上部に配設され、本目視検査装置が、このハンドセット部から延在する細長い検査チューブを有するように、且つ、この携帯型ハンドセット部の一部である手持ちハウジングにより画定されるように、構成された携帯型ハンドセット部と、
前記固体画像センサへの入射光を表す画像データを処理するための画像処理回路と、
前記目標基板を照明するための光源バンクであって、前記画像処理回路と共に前記手持ちハウジングの内部に配設された光源バンクと、
前記手持ちハウジングの外部に延在し、前記光源バンクが発生する前記目標基板を照明するための光を伝達する細長い検査チューブと、
前記手持ちハウジングの内部に配設されるこの目視検査装置の電気コンポーネントと熱連通した、熱伝導性材料含有性のヒートシンクアセンブリであって、前記手持ちハウジングから延在する少なくとも１つのマルチフィン付きヒートシンク部材を有し、前記手持ちハウジングの外部に露出した露出部分を有するヒートシンクアセンブリと、
を備えることを特徴とする目視検査装置。
【請求項２】
前記少なくとも１つのマルチフィン付きヒートシンク部材の前記露出部分は、前記手持ちハウジングから前方へ延在することを特徴とする請求項１記載の目視検査装置。
【請求項３】
目視検査装置は、前記ヒートシンクアセンブリが、前記手持ちハウジングの外部に延在する前記細長い検査チューブの、少なくとも１つのコンポーネントを含むようになされており、そのため、前記細長い検査チューブの前記少なくとも１つのコンポーネントが、前記細長い検査チューブのコンポーネントであるだけでなく、前記ヒートシンクアセンブリのコンポーネントでもあることを特徴とする請求項１記載の目視検査装置。
【請求項４】
前記少なくとも１つのマルチフィン付きヒートシンク部材が、少なくとも第１のマルチフィン付きヒートシンク部材および第２のマルチフィン付きヒートシンク部材を含み、前記第１のマルチフィン付きヒートシンク部材が、前記第１のマルチフィン付きヒートシンク部材と前記光源バンクの間に第１の熱伝導性経路の一部を形成し、前記第２のマルチフィン付きヒートシンク部材が、前記第２のマルチフィン付きヒートシンク部材と、前記画像処理回路の、１つまたは複数のコンポーネントとの間に第２の熱伝導性経路の一部を形成しており、前記第１の伝導性経路および前記第２の伝導性経路が、互いから熱的に分離しているようになされたことを特徴とする請求項１記載の目視検査装置。
【請求項５】
前記第２のマルチフィン付きヒートシンク部材は、検査者が前記第１のマルチフィン付きヒートシンク部材と接触しにくくするように前記第１のマルチフィン付きヒートシンク部材を中心に周囲に配設されることを特徴とする請求項１記載の目視検査装置。
【請求項６】
二次元画像センサ、および前記二次元画像センサに目標基板の像を結像させる関連した光学系と、
目視検査装置が前記画像センサに結像させた画像表現をディスプレイに表示するように構成されているディスプレイと、
前部、上部、後部、および一対の側部を有する携帯型ハンドセット部であって、前記ディスプレイは、前記上部に配設され、前記装置は、前記ハンドセット部から前方へ延在する細長い検査チューブを有し、手持ちハウジングによって部分的に画定される携帯型ハンドセット部と、
前記手持ちハウジング内に配設された、前記目標基板を照明するための光源バンクと、
前記手持ちハウジング内に配設された、前記光源バンクが搭載される光源バンク回路基板と、
前記手持ちハウジング内に配設された、前記画像センサへの入射光を表す画像データを処理するための画像処理回路と、
前記手持ちハウジング内に配設された、前記画像処理回路の、１つまたは複数のコンポーネントが搭載される処理回路基板と、
前記光源バンクに熱連通しており、前記手持ちハウジングから前方へ延在する第１のマルチフィン付きヒートシンク部材と、
前記処理回路基板に熱連通しており、前記手持ちハウジングから前方へ延在する第２のマルチフィン付きヒートシンク部材と
を備える目視検査装置。
【請求項７】
目視検査装置は、前記第１のマルチフィン付きヒートシンク部材および前記第２のマルチフィン付きヒートシンク部材が互いから熱的に分離しており、前記第１のマルチフィン付きヒートシンク部材および前記第２のマルチフィン付きヒートシンク部材を熱的に接続するヒートシンク部材経路を欠いているようになされたことを特徴とする請求項６記載の目視検査装置。
【請求項８】
前記第１のマルチフィン付きヒートシンク部材および前記第２のマルチフィン付きヒートシンク部材が、互いから熱的に分離しているようになされており、前記第１のマルチフィン付きヒートシンク部材および前記第２のマルチフィン付きヒートシンク部材を熱的に接続するヒートシンク部材経路を欠いており、前記光源バンク回路基板が、前記処理回路基板の平均的な定格電力消費より大きい平均的な定格電力消費を有するように選択されることを特徴とする請求項６記載の目視検査装置。
【請求項９】
目視検査装置は、前記第１のマルチフィン付きヒートシンク部材および前記第２のマルチフィン付きヒートシンク部材が、互いに熱連通しているようになされたことを特徴とする請求項６記載の目視検査装置。
【請求項１０】
信号を発生させるセンサと、
検査装置が検査者への情報をディスプレイに表示するように構成されているディスプレイと、
前部、上部、後部、および一対の側部を有する携帯型ハンドセット部であって、前記ディスプレイは、前記上部に配設され、前記装置は、携帯型ハンドセット部から離間した位置での条件を感知するための、前記ハンドセット部から延在する細長い検査チューブを有し、手持ちハウジングによって画定される携帯型ハンドセット部と、
前記センサが発生する前記信号に対応するデータを処理するためのデータ処理回路の少なくとも１つコンポーネントを含む、前記手持ちハウジングの内部に配設した複数の電気コンポーネントと
を備え、
前記検査チューブは、前記手持ちハウジングの外部に向かうある位置まで少なくとも部分的に延在する少なくとも１つの熱伝導性コンポーネントを含むようになされており、前記複数の電気コンポーネントのうちの少なくとも１つと、前記手持ちハウジングの内部の位置から前記手持ちハウジングの外部の位置まで熱を伝達するための前記少なくとも１つの熱伝導性コンポーネントとの間に熱伝導性経路を設けるようになされた検査装置。
【請求項１１】
前記センサが画像センサによって与えられる目視検査、渦電流検査装置であることを特徴とする検査装置、超音波感知装置であることを特徴とする検査装置のいずれかである請求項１０記載の検査装置。
【請求項１２】
前記複数の電気回路コンポーネントのうちの前記少なくとも１つは、光源バンクであることを特徴とする請求項１０記載の検査装置。
【請求項１３】
前記少なくとも１つの熱伝導性コンポーネントは、前記検査チューブを前記ハンドセット部に接続するフランジであることを特徴とする請求項１０記載の検査装置。
【請求項１４】
前記熱伝導性コンポーネントは、前記検査チューブにつぶれ耐性を与えるモノコイルであることを特徴とする請求項１０記載の検査装置。
【請求項１５】
前記熱伝導性コンポーネントは、前記検査チューブを前記ハンドセット部に接続するのに用いるカバーナットであることを特徴とする請求項１０記載の検査装置。